(57)【要約】【課題】循環式検査システムの提供。【解決手段】本発明は、被検査物を予熱し、検査を加速し効率を高める循環式検査システムとされ、輸送ユニットに検査区と検査待機区が画定され、並びに循環往復式の運動を提供し、検査区及び検査待機区に検査平台が置かれ、検査平台にそれぞれ電源が供給され、検査平台に取り付けられた被検査物が検査前に電源で予熱され、並びに輸送ユニットを利用して循環往復式に検査されることにより有効に検査効率が高められる。【選択図】        図１
2004170249.tif 000002
【特許請求の範囲】
【請求項１】
循環式検査システムにおいて、該循環式検査システムは検査待機物に対して予熱し並びに循環式の検査操作を提供し、該循環式検査システムは、
輸送ユニットとされ、周期循環運動を提供し、並びに検査区と少なくとも一つの検査待機区を画定する、上記輸送ユニットと、
複数の検査平台とされ、検査待機物を放置する区域を具え、並びに該輸送ユニットにおいて、それぞれ検査区と検査待機区に配置され、且つ各検査平台がいずれも独立した電源供給を有する、上記複数の検査平台と、
検査装置とされ、輸送ユニットの検査区に取り付けられて、検査区に位置する検査平台の載置した検査待機物に対して検査を行う、上記検査装置と、
モニタスクリーンとされ、輸送ユニットの検査区に隣接し、並びに検査装置と電気的に連接され、検査装置の検査の結果を出力表示する、上記モニタスクリーンと、
を具えたことを特徴とする、循環式検査システム。
【請求項２】
請求項１に記載の循環式検査システムにおいて、検査待機物が液晶表示パネルとされたことを特徴とする、循環式検査システム。
【請求項３】
請求項１に記載の循環式検査システムにおいて、輸送ユニットが円盤構造とされ、この円盤上に一つの検査区と少なくとも一つの検査待機区が画定され、回転駆動の方式の利用により循環式に検査待機物を検査装置による検査に提供することを特徴とする、循環式検査システム。
【請求項４】
請求項１に記載の循環式検査システムにおいて、輸送ユニットが少なくとも二つの輸送平台を具え、各輸送平台がそれぞれ検査平台の取り付けに供されると共に循環式に検査平台を検査区と検査待機区の間で輸送することを特徴とする、循環式検査システム。
【請求項５】
請求項１に記載の循環式検査システムにおいて、輸送ユニットが往復式の運動を提供し、並びにその上に一つの検査区と一つの検査待機区が画定され、往復の方式を利用して検査待機物を検査装置による検査に供することを特徴とする、循環式検査システム。
【請求項６】
請求項５に記載の循環式検査システムにおいて、輸送ユニットが扇形の盤体とされ、その上に一つの検査区と一つの検査待機区が画定され、往復の方式を利用して検査待機物を検査装置による検査に供することを特徴とする、循環式検査システム。
【請求項７】
請求項５に記載の循環式検査システムにおいて、輸送ユニットがコンベアベルトとされ、その上に一つの検査区と一つの検査待機区が画定され、前後の往復輸送を利用して検査待機物を検査装置による検査に供することを特徴とする、循環式検査システム。
【請求項８】
請求項５に記載の循環式検査システムにおいて、輸送ユニットがキャタピラとされ、その上に一つの検査区と一つの検査待機区が画定され、前後の往復輸送を利用して検査待機物を検査装置による検査に供することを特徴とする、循環式検査システム。
【請求項９】
請求項１に記載の循環式検査システムにおいて、総電源供給器を具え、総電源供給器が各検査平台に連接されて各検査平台の独立した電源供給を提供することを特徴とする、循環式検査システム。
【請求項１０】
請求項１に記載の循環式検査システムにおいて、検査装置がＣＣＤとされたことを特徴とする、循環式検査システム。
【請求項１１】
請求項１に記載の循環式検査システムにおいて、各検査平台が検査待機区に輸送される時にいずれも同じ高度を有することを特徴とする、循環式検査システム。
【発明の詳細な説明】
【０００１】
【発明の属する技術分野】
本発明は一種の検査システムに係り、特に、電源供給して予熱することが必要な検査待機物に応用され、各検査平台に独立して電源が供給される、循環式検査システムに関する。
【０００２】
【従来の技術】
時代の進歩、科学技術の発達に伴い、電子製品も日増しに普及し、日常生活中の細部から仕事、娯楽の特殊の需要に至るまで、電子製品、装置は不可欠となっている。このような要求に対応するため各種の電子製品が市場に溢れており、メーカー側にとって、いかに競争の環境で勝ち残り、消費者の興味をひくかが企業の生存の鍵を握っている。
【０００３】
企業の勝ち残りのためには、技術的にリーダーシップをとることのほか、最も基本的なことは製品が市場で歓迎され、購入されるように、技術を発展させ、新製品を開発することが必要であり、製品が受け入れられるかを決定する条件は、製品が一定の信頼度を有し、品質が肯定されることであり、品質の安定は生産製造の素質のほか、品質管理に関係し、製品或いは半製品の検査はおろそかにできない。最も明らかな例を挙げると、日本企業は完全で、変態の品質管理によりその品質の安定、信頼度の名声を獲得している。
【０００４】
品質管理の一つに、製品、半製品の検査があり、例えば、液晶表示パネル（ＬＣ  Ｄ  ｐａｎｅｌ）では、検査設備に二つの平台の循環が利用され、液晶表示パネルの検査時には電源を一定時間通電させて予熱の効果を達成しなければ検査が行えない。しかし、従来の検査システムには、検査部分に対して改良を行い、正確にパネルの不正常点を検出できるようにしたもの（例えば特許文献１）、或いは画素中の不均一な輝度強度を検出するもの（例えば特許文献２）があるが、予熱の問題を解決したものはない。伝統的な平台は異なる液晶表示パネルの放置位置を提供し、一つの検査が完了した後、電源線及び検査ケーブルを、検査完成した液晶表示パネルから検査待機中の液晶表示パネルに移し、さらにある予熱時間を待った後でなければ検査が行えず、相当に時間を浪費し、余分の待機時間を消耗するだけでなく、作業員の待ち時間を浪費する。また一方で、電源線及び検査ケーブルが絡み易く、相当に整理しにくく、回路の短絡を形成しやすく、検査不能となったり誤検査の状況を形成しやすく、企業イメージ及び製品品質を高める方向に対して、最大の障害となった。
【０００５】
【特許文献１】
米国特許第５７６４２０９号明細書
【特許文献２】
米国特許第５７７１０６８号明細書
【０００６】
【発明が解決しようとする課題】
本発明は上述の問題を解決するため、一種の循環式検査システムを提供し、それは循環式検査を提供し、且つ各被検査物の検査前に電源を供給し、予熱を行うことにより検査の効率を増加し、並びに線を整理する問題を減少したシステムであるものとする。
【０００７】
【課題を解決するための手段】
請求項１の発明は、循環式検査システムにおいて、該循環式検査システムは検査待機物に対して予熱し並びに循環式の検査操作を提供し、該循環式検査システムは、
輸送ユニットとされ、周期循環運動を提供し、並びに検査区と少なくとも一つの検査待機区を画定する、上記輸送ユニットと、
複数の検査平台とされ、検査待機物を放置する区域を具え、並びに該輸送ユニットにおいて、それぞれ検査区と検査待機区に配置され、且つ各検査平台がいずれも独立した電源供給を有する、上記複数の検査平台と、
検査装置とされ、輸送ユニットの検査区に取り付けられて、検査区に位置する検査平台の載置した検査待機物に対して検査を行う、上記検査装置と、
モニタスクリーンとされ、輸送ユニットの検査区に隣接し、並びに検査装置と電気的に連接され、検査装置の検査の結果を出力表示する、上記モニタスクリーンと、
を具えたことを特徴とする、循環式検査システムとしている。
請求項２の発明は、請求項１に記載の循環式検査システムにおいて、検査待機物が液晶表示パネルとされたことを特徴とする、循環式検査システムとしている。
請求項３の発明は、請求項１に記載の循環式検査システムにおいて、輸送ユニットが円盤構造とされ、この円盤上に一つの検査区と少なくとも一つの検査待機区が画定され、回転駆動の方式の利用により循環式に検査待機物を検査装置による検査に提供することを特徴とする、循環式検査システムとしている。
請求項４の発明は、請求項１に記載の循環式検査システムにおいて、輸送ユニットが少なくとも二つの輸送平台を具え、各輸送平台がそれぞれ検査平台の取り付けに供されると共に循環式に検査平台を検査区と検査待機区の間で輸送することを特徴とする、循環式検査システムとしている。
請求項５の発明は、請求項１に記載の循環式検査システムにおいて、輸送ユニットが往復式の運動を提供し、並びにその上に一つの検査区と一つの検査待機区が画定され、往復の方式を利用して検査待機物を検査装置による検査に供することを特徴とする、循環式検査システムとしている。
請求項６の発明は、請求項５に記載の循環式検査システムにおいて、輸送ユニットが扇形の盤体とされ、その上に一つの検査区と一つの検査待機区が画定され、往復の方式を利用して検査待機物を検査装置による検査に供することを特徴とする、循環式検査システムとしている。
請求項７の発明は、請求項５に記載の循環式検査システムにおいて、輸送ユニットがコンベアベルトとされ、その上に一つの検査区と一つの検査待機区が画定され、前後の往復輸送を利用して検査待機物を検査装置による検査に供することを特徴とする、循環式検査システムとしている。
請求項８の発明は、請求項５に記載の循環式検査システムにおいて、輸送ユニットがキャタピラとされ、その上に一つの検査区と一つの検査待機区が画定され、前後の往復輸送を利用して検査待機物を検査装置による検査に供することを特徴とする、循環式検査システムとしている。
請求項９の発明は、請求項１に記載の循環式検査システムにおいて、総電源供給器を具え、総電源供給器が各検査平台に連接されて各検査平台の独立した電源供給を提供することを特徴とする、循環式検査システムとしている。
請求項１０の発明は、請求項１に記載の循環式検査システムにおいて、検査装置がＣＣＤとされたことを特徴とする、循環式検査システムとしている。
請求項１１の発明は、請求項１に記載の循環式検査システムにおいて、各検査平台が検査待機区に輸送される時にいずれも同じ高度を有することを特徴とする、循環式検査システムとしている。
【０００８】
【発明の実施の形態】
本発明に記載の循環式検査システムは、輸送ユニット、複数の検査平台、検査装置及びモニタスクリーンを具え、輸送ユニットが周期循環運動を提供し、並びに検査区と少なくとも一つの検査待機区を画定し、検査平台が検査待機物を放置する区域を具え、並びに輸送ユニットの検査区及び検査待機区に配置され、且つ各検査平台が独立した電源供給を受け、検査装置が輸送ユニットの検査区に取り付けられて、検査区に位置する検査平台の載置した検査待機物に対して検査を行い、並びにモニタスクリーンが検査装置の検査の結果を出力する。検査平台の独立電源供給により、検査平台に取り付けられた各検査待機物が予め通電され予熱され、並びに輸送ユニットの循環或いは往復により検査待機物が検査区に送られて検査され、大幅に検査の効率が高められ、且つ各検査平台がいずれも独立した電源供給を受けることにより配線整理の面倒が省略される。
【０００９】
【実施例】
本発明の循環式検査システムは、各検査平台への独立した電源供給と、輸送ユニットの循環運動の利用により、順番に検査を行い、大幅に検査効率を高め、並びに周知の配線整理の問題を解消する。
【００１０】
本発明の第１実施例は、図１、２に示される。循環式検査システムは、輸送ユニット１０、第１検査平台２１、及び第２検査平台２２、検査装置３０及びモニタスクリーン４０を具えている。輸送ユニット１０は第１輸送平台１０１及び第２輸送平台１０２を具え、輸送の位置により二つの区域を画定し、それぞれ検査区１１と検査待機区１２とされ、且つ第１検査平台２１と第２検査平台２２の設置に供される。各検査平台２１、２２はいずれも独立した電源供給２３を受け、検査装置３０は輸送ユニット１０の検査区１１に設置され、検査装置３０により検査区１１内の検査平台２１、２２上の検査待機物５１、５２に対する検査が行われ、並びに結果が電気的に連接されたモニタスクリーン４０に表示される。
【００１１】
液晶表示パネルの例では、第１検査待機物５１と第２検査待機物５２が液晶表示パネルとされ、検査装置３０はＣＣＤとされる。各検査平台２１、２２の独立した電源供給２３を提供するため、総電源供給器が設計され、総電源供給器が検査平台２１、２２に連接され、並びに適当な電源が各検査平台２１、２２に分配される。総電源供給器の大きさは検査待機物５１、５２の必要な電源及び検査平台２１、２２の数により決定され、並びに設置の位置が決定される。
【００１２】
図２を参照されたい。開始時、第１検査平台２１は輸送ユニット１０の検査区１１に位置し、第２検査平台２２は輸送ユニット１０の検査待機区１２に位置する。第１検査平台２１上に置かれた第１検査待機物５１が検査に供され、第２検査平台２２の操作者に接近する位置の検査待機区１２は相当に操作者に接近するため、操作者が第２検査待機物５２をその上に放置でき、並びに操作者は第２検査平台２２に連接された独立電源供給３０に第２検査待機物５２を連接することにより、それを予熱の検査準備を行い、並びに第２検査平台２２を検査区１１の下方に輸送して準備を行う。図示されるように、下向きに輸送した後、さらに右向きに輸送して検査区１１の下方に至らせる（図３参照）。検査装置３０はまず第１検査待機物５１を検査し、並びに結果をモニタスクリーン４０に表示し、検査装置３０は二次元の検査範囲を提供する。検査完成後、第１輸送平台１０１を利用し、第１検査平台２１が第１検査待機物５１と共に検査待機区１２に輸送される。これは図４に示されるようである。操作者は検査完成した検査待機物を取り出し並びに新しい検査待機物を置き、並びに電源供給２３に連接させて予熱する。続いて、第２輸送平台１０２を利用し第２検査平台２２を第２検査待機物５２と共に上向きに検査区１１に輸送し、検査を行う。検査完成後に、第２輸送平台１０２を利用して第２検査平台２２を第２検査待機物５２と共に下向き、左向きに輸送し、第１輸送平台１０１を利用し、第１検査平台２１を第１検査待機物５１と共に検査区１１に輸送し、さらに第２輸送平台１０２を利用し第２検査待機物５２と共に上向きに検査待機区１２に送り（図５参照）、且つ二つの輸送平台１０１、１０２の検査待機区１２への移動の高度は同じであり、操作者にとっては、簡単に検査済みの検査待機物を取り出せると共に、予熱準備する検査待機物を置くことができ、且つ毎回高度が同じであるため、操作者が平台に検査待機物を出し入れするのに楽であり、高度に起伏がないため操作者の疲労や傷害を形成しない。こうして順に往復循環させて、全ての検査待機物５１、５２に対して検査を行え、検査効率を高めることができる。また、検査平台２１、２２に独立した電源供給２３があるため、周知の電源線の絡み合う問題がなく、また配線の整理や、誤検査の状況を心配する必要がない。且つ検査待機物の検査待機区１２への出し入れが操作者に接近する位置となる設計であるため、操作に便利である。
【００１３】
本発明の第２実施例は、図６に示されるように、輸送ユニット１０に扇形の盤体が利用され、それに検査区１１と検査待機区１２が画定され、並びに第１検査平台２１と第２検査平台２２が設置され、また、先の実施例と同様に、各検査平台２１、２２がいずれも独立した電源供給２３を受け、同様に同じ効果を達成する。
【００１４】
本発明の第３実施例は、図７に示されるように、コンベアベルトの方式が利用され、検査区１１の左右両側の検査待機区１２、１３が提供され、コンベアベルトが、歯車、チェーン或いはキャタピラの方式を利用して駆動される。
【００１５】
上述の実施例のほか、検査時間は予熱時間よりはるかに短いことを考慮し、輸送ユニット１０に単一検査区１１及び複数の検査待機区１２が設けられ、図８の本発明の第４実施例のように、円盤式輸送方式を利用し、検査待機物５１、５２を循環輸送して検査装置３０による順次検査に供するようにした形態も可能である。
【００１６】
【発明の効果】
本発明の循環式検査システムは、各検査平台がいずれも独立した電源を有し、その上に放置された検査待機物に通電予熱でき、並びに電源線、連接線の配線、短絡の問題を排除でき、且つ輸送ユニットの循環、往復を利用して順に検査待機物の検査に供し、大幅に検査効率を高めることができる。
【００１７】
以上は本発明の好ましい実施例の説明であって、本発明の実施範囲を限定するものではなく、本発明に基づきなしうる細部の修飾或いは改変は、いずれも本発明の請求範囲に属するものとする。
【図面の簡単な説明】
【図１】本発明の第１実施例表示図である。
【図２】本発明の第１実施例表示図である。
【図３】本発明の第１実施例表示図である。
【図４】本発明の第１実施例表示図である。
【図５】本発明の第１実施例表示図である。
【図６】本発明の第２実施例表示図である。
【図７】本発明の第３実施例表示図である。
【図８】本発明の第４実施例表示図である。
【符号の説明】
１０  輸送ユニット
１０１  第１輸送平台
１０２  第２輸送平台
１１  検査区
１２  検査待機区
１３  検査待機区
２１  第１検査平台
２２  第２検査平台
２３  電源供給
３０  検査装置
４０  モニタスクリーン
５１  第１検査待機物
５２  第２検査待機物
【図１】
2004170249.tif 000003
【図２】
2004170249.tif 000004
【図３】
2004170249.tif 000005
【図４】
2004170249.tif 000006
【図５】
2004170249.tif 000007
【図６】
2004170249.tif 000008
【図７】
2004170249.tif 000009
【図８】
2004170249.tif 000010